(57)【特許請求の範囲】
【請求項１】
走行車両（２）の一方側の横側に前部から順次根菜類を引起す引起装置（４）と、根菜類を掘起す掘起装置（５）と、掘起した該根菜類を後方上部へ移送する移送装置（２８）と、該移送装置（２８）から根菜類を引継ぎして首揃えしながら後方へ移送する首揃移送装置（３３）及びタッピング移送装置（３４）と、該首揃移送装置（３３）の後側の左右両側に設けられ首揃えした根菜類の葉部の所定位置を切断する左右の切断刃（４５ａ，４５ｂ）からなる葉切断装置（１２）と、該葉切断装置（１２）で切断した葉部を後方へ移送する葉移送装置（３５）とを設け、
前記首揃移送装置（３３）を移送装置（２８）の後側で且つ該移送装置（２８）の移送終端部から所定距離下方に設け、該首揃移送装置（３３）の上側に所定間隔を空けて平行状態にタッピング移送装置（３４）を設け、該タッピング移送装置（３４）の移送始端部を前記首揃移送装置（３３）の前後方向略中央部に配置し、該タッピング移送装置（３４）の上側に所定間隔を空けて平行状態に葉移送装置（３５）を設け、該葉移送装置（３５）の移送始端部を前記タッピング移送装置（３４）の移送始端部よりも所定距離後方に配置し、
前記葉切断装置（１２）を首揃移送装置（３３）の後側で且つタッピング移送装置（３４）の下方に設け、
前記タッピング移送装置（３４）の移送始端部側から数えて１番目の第１テンション軸（５５ａ）と２番目の第２テンション軸（５５ａ２）との間の前後方向の略中央位置に前記葉移送装置（３５）の移送始端部の前軸（５９ａ）を配置し、該前軸（５９ａ）と葉移送装置（３５）の移送始端部側から数えて１番目の第４テンション軸（５８ａ）との間の前後方向の略中央位置に前記第２テンション軸（５５ａ２）を配置し、該第２テンション軸（５５ａ２）とタッピング搬送装置（３４）の移送始端部側から数えて３番目の第３テンション軸（５５ａ３）との間の前後方向の略中央位置に前記第４テンション軸（５８ａ）を配置し、
該左右の切断刃（４５ａ，４５ｂ）の外径部を所定量重合させて上下に設けたことを特徴とする根菜類収穫機。
【発明の詳細な説明】
【０００１】
【発明の属する技術分野】
この発明は、引起装置で引起した根菜類を堀起装置で堀起して移送装置で後方上部へ移送中に首揃移送装置、及びタッピング移送装置へと引継ぎ首揃えしながら後方へ移送され、該首揃移送装置の後側の左右両側で外周部を所定量重合させて上下に設けた左・右切断刃で首揃え済み該根菜類の葉部の所定位置が切断され、切断済み藁部は葉移送装置で後方へ移送される技術であり、根菜類収穫機として利用できる。
【０００２】
【従来の技術】
根菜類が、例えば、人参であったとすると、この人参を収穫作業するときは、根菜収穫機の走行車両を圃場の畦部を走行させ、この走行車両の横側に前部から順次設けた引起装置で人参は引起され、堀起装置で掘起され、この堀起された人参は移送装置へと引継ぎされて後方上部へ移送され、この移送途中で首揃移送装置、及びタッピング移送装置へと順次引継ぎされ、この首揃移送装置で移送中に人参が首揃され、該首揃移送装置の後側の左右両側で上下方向同じ位置で、更に外周部に所定隙間を設けた切断刃の外周部で人参の葉部の所定位置が切断され、葉部切断済み人参は下側の移送コンベア上へ落下供給されて、この移送コンベアで移送されて収納箱内へ供給されて一時貯留される。
【０００３】
又、切断済み葉部は前記タッピング装置と、葉移送装置とにより、後方へ移送されて、圃場へ落下排出される。
【０００４】
【発明が解決しようとする課題】
左右両側の切断刃の上下方向位置が、同じ高さ位置であることにより、これら切断刃の組付け、及び取外しのときに危険である。又、この切断刃の外周部に所定隙間を設けていることにより、切断性能が低下したり、葉部を切断する所定位置が正確に切断されないことがあったが、この発明により、これらの問題点を解決しようとするものである。
【０００５】
【課題を解決するための手段】
このために、請求項１記載の発明は、走行車両（２）の一方側の横側に前部から順次根菜類を引起す引起装置（４）と、根菜類を掘起す掘起装置（５）と、掘起した該根菜類を後方上部へ移送する移送装置（２８）と、該移送装置（２８）から根菜類を引継ぎして首揃えしながら後方へ移送する首揃移送装置（３３）及びタッピング移送装置（３４）と、該首揃移送装置（３３）の後側の左右両側に設けられ首揃えした根菜類の葉部の所定位置を切断する左右の切断刃（４５ａ，４５ｂ）からなる葉切断装置（１２）と、該葉切断装置（１２）で切断した葉部を後方へ移送する葉移送装置（３５）とを設け、前記首揃移送装置（３３）を移送装置（２８）の後側で且つ該移送装置（２８）の移送終端部から所定距離下方に設け、該首揃移送装置（３３）の上側に所定間隔を空けて平行状態にタッピング移送装置（３４）を設け、該タッピング移送装置（３４）の移送始端部を前記首揃移送装置（３３）の前後方向略中央部に配置し、該タッピング移送装置（３４）の上側に所定間隔を空けて平行状態に葉移送装置（３５）を設け、該葉移送装置（３５）の移送始端部を前記タッピング移送装置（３４）の移送始端部よりも所定距離後方に配置し、前記葉切断装置（１２）を首揃移送装置（３３）の後側で且つタッピング移送装置（３４）の下方に設け、前記タッピング移送装置（３４）の移送始端部側から数えて１番目の第１テンション軸（５５ａ）と２番目の第２テンション軸（５５ａ２）との間の前後方向の略中央位置に前記葉移送装置（３５）の移送始端部の前軸（５９ａ）を配置し、該前軸（５９ａ）と葉移送装置（３５）の移送始端部側から数えて１番目の第４テンション軸（５８ａ）との間の前後方向の略中央位置に前記第２テンション軸（５５ａ２）を配置し、該第２テンション軸（５５ａ２）とタッピング搬送装置（３４）の移送始端部側から数えて３番目の第３テンション軸（５５ａ３）との間の前後方向の略中央位置に前記第４テンション軸（５８ａ）を配置し、該左右の切断刃（４５ａ，４５ｂ）の外径部を所定量重合させて上下に設けたことを特徴とする根菜類収穫機とした。
【０００６】
【発明の作用】
根菜類を収穫するときは、根菜類収穫機の走行車両（２）を圃場の畦部を走行させ、この走行車両（２）の横側に前部から順次設けた引起装置（４）で根菜類の茎葉が引き起こされ、茎葉を引き起こされた根菜類は堀起装置（５）で堀起され、この掘り起こされた根菜類は移送装置（２８）へと引継ぎされて後方上部へ移送され、この移送途中で首揃移送装置（３３）及びタッピング移送装置（３４）へと順次引継ぎされ、この首揃移送装置（３３）で移送中に根菜類が首揃えされ、該首揃移送装置（３３）の後側の左右両側の左右の切断刃（４５ａ，４５ｂ）の外周部を所定量重合させて、上下に設けたこの左右の切断刃（４５ａ，４５ｂ）で根菜類の葉部の所定位置が切断され、葉部を切断された根菜類は下側の移送コンベア上へ落下供給され、この移送コンベアで移送されて、収納箱内へ供給されて一時貯留される。
【０００７】
又、切断された根菜類の葉部は前記タッピング移送装置（３４）と葉部移送装置（３５）とで後方へ移送されて、圃場へ落下排出される。
【０００８】
【発明の効果】
この発明によれば、葉切断装置（１２）の前側で、根菜類の葉部の挟持力が高まるので、根菜類が上下にずれることを防止でき、葉切断装置（１２）が根菜類の根部を切断することを防止できる。
また、左右の切断刃（４５ａ，４５ｂ）の手前側で下側に設けた該左切断刃（４５ａ）を先に取り外した後に奥側の該右切断刃（４５ｂ）を取り外すことにより、危険の防止ができる。そして、これら左右の切断刃（４５ａ，４５ｂ）の外周部を所定量重合させて設けたことにより、切断性能が向上し、また、葉部の所定位置を正確に切断することができる。
【０００９】
【発明の実施の形態】
以下、本発明の一実施例を図面に基づいて説明する。図例は、根菜類（イ）が、例えば、人参（イ）であったとすると、この人参（イ）は圃場から掘起され、この掘起した人参（イ）を移送しながら葉部と、根部の下方部との所定位置を切断して、一時貯留する根菜収穫機１を図示して説明すると共に、葉部の所定位置を切断する葉切断装置１２を図示して説明する。
【００１０】
前記根菜類収穫機１は、図３〜図６で示す如く走行車両２の一方側の側部外側には、収穫作業装置３を設け、この収穫作業装置３は前部の引起装置４と、堀起装置５と、後部の根菜搬送装置６等よりなる構成である。
【００１１】
前記走行車両２の車台７の下部には、土壌面を走行する左右一対の走行クローラ７ａを張設し、該車台７上側の一方側には、走行操作、及び各種制御操作等を行う操作装置８と、作業者が搭乗して各種操作等を行う操縦席９等を設け、この操縦席９の下部には、原動機（エンジン）７ｂ等を搭載している。この原動機７ｂで走行ギヤーケース７ｃ内の伝動機構７ｄを介して、該各走行クローラ７ａを回転駆動する構成である。該伝動機構７ｄの伝動経路中には、その出力回転数に基づく走行車速を検出する車速センサ７ｅを設けた構成である。
【００１２】
前記車台７の上側の後方部には、後逑する葉切断装置１２で人参（イ）の葉部の所定位置が切断され、又、後逑する人参下部切断装置４７で根部の下方部の所定位置が切断され、これら両者が切断された切断済み人参（イ）の供給を受け、操縦席９側の横方向へ向け回転駆動する移送ベルト等を張設してなる第１移送コンベア１３、及び回転駆動する移送ベルト等を張設してなる第２移送コンベア１４を設け、これら第１・第２移送コンベア１３、１４は移送終端部へ向けて上り傾斜させて設けている。該第２移送コンベア１４の移送終端部の下側で、該車台７上側には、両者が切断された切断済み人参（イ）の供給を受け、収納して一時貯留する収納箱１５を載置した構成である。
【００１３】
前記車台７上側の後部の左側には、上方へ突出する平面視コ字形状の支持板１６を固着して設け、この支持板１６の上部には、伝動機構１７ａを内装した伝動ケース１７を回動自在に設けている。この伝動ケース１７には、前方下部へ突出する支持板１８を固着して設け、この支持板１８の前側面には、左右両側に前方下部へ突出する受板１９ａを固着した取付板１９ｂを装着した構成である。この各受板１９ａの前端部には、前方下部へ突出する補助受板１９ｃを固着した構成である。
【００１４】
前記左右両側の引起装置４は、上部を伝動ケース１７から前方へ突出する伝動機構２０ｃを内装した上受杆２０ａで支持すると共に、上下に回動する構成である。下部は補助受板１９ｃから前方へ突出する下受杆２０ｂで支持した構成である。
【００１５】
前記引起装置４は、根菜搬送装置６の前部の左右両側に設け、この引起装置４は左右両側の引起ケース２１に内装して回転自在に、所定間隔に引起ラグ２２ｂを装着した引起チエン２２ａを張設した構成である。この引起チエン２２ａのこの引起ラグ２２ｂは、前側下端部から前側上端部の間は、該各引起ケース２１から突出し、人参（イ）の葉部を引起す引起作用部であり、又、後側は該引起ラグ２２ｂは収納されて、引起ししない非作用部とした構成である。
【００１６】
前記各引起ケース２１下部の外側面には、人参（イ）の葉部を分離する分草体２３を前方へ突出させて設けた構成である。又、図３で示す如く堀起し高さ、及び畦の凹凸を検出する掘起し高さセンサ２４は、一方側の該引起ケース２１の外側に設けた構成である。この掘起し高さセンサ２４は該引起しケース２１の外側面に回動自在に設けた支持板２５ａに、接地プレート２５ｂを装着すると共に、該支持板２５ａの上端部と、補助受板１９ｃに設けたポテンションメータ２５ｃとを連結ロット２５ｄで接続させて、このポテンションメータ２５ｃの作動量で検出する構成である。
【００１７】
前記ポテンションメータ２５ｃの検出した作動量と、設定した掘起し高さとが比較され、設定堀起し高さと同じにすべく、上下回動制御する構成である。前記堀起装置５の上下回動制御に伴って、左右両側の引起装置４、及び根菜搬送装置６等も同時に、上下回動制御する構成である。
【００１８】
前記各掘起装置５は、左右両側の補助受板１９ｃに上下調節可能に設けている。この堀起装置５は前方下部へ傾斜して、突出する支持杆２７ａの前端部には、上下方向に所定長さの堀起板２７ｂを固着して設けた構成である。この左右両側の堀起装置５の堀起板２７ｂにより、人参（イ）が植付けされているこの人参（イ）の左右両側の畦を除去して、この人参（イ）を堀起す構成である。
【００１９】
前記車台７の支持板１６の前部には、前支持板１６ａを設け、この前支持板１６ａには、前方へ突出させて支持杆１６ｂを設け、この支持杆１６ｂの前端部には、Ｌ字形状の回動板１６ｃを回動自在に装着して設け、この回動板１６ｃの一方側の下端部と、上下シリンダ２６ａの前端部とを接続させ、他方側の前端部には、支持杆１６ｄの一方側の端部を装着して設け、この支持杆１６ｄの他方側の端部と、受板１９ａの前端部とを接続させた構成である。
【００２０】
前記上下シリンダ２６ａの作動により、伝動ケース１７の上下回動中心２６ｂ位置を回動中心として、回動板１６ｃ，支持杆１６ｄ，受板１９ａ，補助受板１９ｃ，及び後逑する連結板２９等を介して、各引起装置４、各堀起装置５、及び根菜搬送装置６等を自動で上下回動制御する構成である。
【００２１】
前記根菜搬送装置６の移送装置２８は、引起装置４の後側の左右両側に設けた構成である。この移送装置２８の上端の移送終端部は、伝動ケース１７後側に連結板２９を介して設けた伝動機構３０ａを内装した支持ケース３１の上側に設けた伝動ケース３２に内装した伝動機構３２ａで支持すると共に、回転駆動させる構成である。
【００２２】
前記移送装置２８は伝動ケース１７の回動により、連結板２９、伝動ケース３０、支持ケース３１、及び伝動ケース３２を介して、上下回動自在な構成である。
【００２３】
前記移送装置２８は、図７で示す如く上下端部に回転自在に軸支した上・下プーリ２８ｂ，２８ｃと、複数個の作用側テンションプーリ２８ｄと、複数個の非作用側テンションプーリ２８ｅとに、移送ベルト２８ａを掛け渡した構成である。各堀起装置５で堀起した人参（イ）の葉部は、この移送ベルト２８ａ，２８ａ間で挾持されて、上部へ移送する構成である。この移送途中で首揃移送装置３３、３３へ引継ぎする構成である。テンションプーリ２８ｆは該移送ベルト２８ａが伸びた時に、伸張操作する構成である。
【００２４】
前記移送ベルト２８ａは、図７、及び図８で示す如くＶベルトと平ベルトとを一体に形成し、更に平ベルトの外周面には、山形状の突出部を形成した構成である。
【００２５】
前記各非作用側テンションプーリ２８ｅは、図８で示す如く従来は２点鎖線で示す如く平ベルト部に接触する面積を広くすべく外周部幅を広く形成した構成であったが、本発明では、図８で示す如く平ベルト部に接触する面積を狭くすべく外周部幅を狭く形成した構成である。
【００２６】
前記作用側テンションプーリ２８ｄは、図８で示す如く従来は２点鎖線で示す如く平ベルト部に接触する面積を広くすべく外周部幅を広く形成した構成であったが、本発明では、図８で示す如く平ベルト部に接触する面積を狭くすべく外周部幅を狭く形成した構成である。該作用側・非作用側テンションプーリ２８ｄ，２８ｅ共に接触する面積を狭くした構成である。
【００２７】
これにより、前記作用側・非作用側テンションプーリ２８ｄ，２８ｅの接触面積を狭くしたことにより、この接触部に泥の付着を防止することができ、泥の付着による移送ベルト２８ａの張り過ぎにを防止できて、この移送ベルト２８ａの破損が防止できる。
【００２８】
前記根菜搬送装置６の首揃移送装置３３、タッピング移送装置３４、葉移送装置３５、及び葉切断装置１２は、人参（イ）を収穫作業状態のときには、圃場面に略平行状態に設けた構成である。
【００２９】
前記首揃移送装置３３は、移送装置２８の後側で移送終端部から所定距離下方に位置させ、左右両側に設けている。この首揃移送装置３３の移送終端は、伝動ケース３０に上方へ向けて突出して設けた伝動機構３７ａを内装した下支持ケース３７の上側に設けた上伝動装置３８の上伝動ケース３８ａに内装した伝動機構３８ｂで支持すると共に、回転駆動する構成である。
【００３０】
前記首揃移送装置３３は、図９、及び図１０で示す如く左右両側に正面視コ字形状の支持プレート３９の前後部には、回転自在に軸支した前・後プーリ３９ａ，３９ｂを設けた構成である。これら前・後プーリ３９ａ，３９ｂ間の作用側には、複数個の作用側テンションプーリ４０ａと、非作用側には、非作用側テンションプーリ４０ｂとを設けた構成である。これらプーリ３９ａ，３９ｂ，４０ａ，４０ｂに移送ベルト３９ｃを掛け渡した構成である。該作用側テンションプーリ４０ａは支持板３９ｄに設けて左右調節できる構成である。
【００３１】
前記支持プレート３９の挾持側の折曲部（Ｂ）位置は図１０で示す如く作用側テンションプーリ４０ａ、及び前プーリ３９ａの外径部（Ｃ）と略同じ位置に形成し、移送中に人参（イ）から落下する藁屑、及び泥等をこれらプーリ４０ａ，３９ａのベルト溝への進入を防止する構成である。
【００３２】
これにより、移送中に落下する藁屑、及び泥等の前記各プーリ３９ａ，４０ａのベルト溝部へ侵入することを防止でき、長時間に亘って人参（イ）の収穫作業ができる。
【００３３】
前記前プーリ３９ａは、図９で示す如くテンション装置４０ｃにより、前後へ摺動可能に構成して、移送ベルト３９ｃが伸びた時の対応ができる構成である。該移送ベルト３９ｃの下側には、ベルトカバー３６を設けた構成である。
【００３４】
前記移送ベルト３９ｃ，３９ｃの直線部の挾持移送部は、所定の隙間を設け、これら移送ベルト３９ｃ、３９ｃ間で人参（イ）の葉部を挾持して移送するが、この挾持力は各移送装置２８の各移送ベルト２８ａの挾持力より、弱く構成している。
【００３５】
前記首揃移送装置３３は、各移送装置２８の各移送ベルト２８ａ間に、人参（イ）の葉部を挾持して上部へ移送中に、この移送途中で該各首揃移送装置３３の各移送ベルト３９ｃ間に、人参（イ）の葉部を引継ぎ挾持する構成である。この人参（イ）の葉部は両者で挾持され、これら各移送ベルト２８ａにより、更に上部へ移送されることによって、これら各移送ベルト３９ｃの下側面位置へ、この人参（イ）の根部の上部が当接するまで上方へ向けて移動され、首揃えが行われる構成である。
【００３６】
前記タッピング移送装置３４の移送終端部は、上伝動装置３８の上伝動ケース３８ａに上下に突出させて設けた上支持ケース４１に内装した伝動機構４１ａの下側で支持すると共に、回転駆動する構成である。
【００３７】
前記タッピング移送装置３４は、首揃移送装置３３の上側に所定間隔を設けて平行状態に左右両側に設けると共に、移送始端部は該首揃移送装置３３の前後方向の略中央部に位置させて設けた構成である。
【００３８】
前記タッピング移送装置３４は、前後端部に回転自在に軸支した前・後プーリ４２ａ，４２ｂには、移送ベルト４２ｃを掛け渡した構成であり、左右両側の該各移送ベルト４２ｃ間には、人参（イ）の葉部を挾持して移送する構成である。各首揃移送装置３３の各移送ベルト３９ｃと、これら各移送ベルト４２ｃとの両者で、人参（イ）の葉部を挾持して移送し、途中からは該各移送ベルト４２ｃと後逑する各移送ベルト４３ｃとの両者で、切断済み葉部を挾持して移送する構成である。
【００３９】
前記葉移送装置３５の移送始端部は、上支持ケース４１に内装した伝動機構４１ａの上側部で支持すると共に、回転駆動する構成である。この葉移送装置３５はタッピング移送装置３４の上側に所定間隔を設けて平行状態に設けると共に、移送始端部は該タッピング移送装置３４の移送始端部より、所定距離後方に位置させた構成である。
【００４０】
前記葉移送装置３５は、前後端部に回転自在に軸支した前・後プーリ４３ａ，４３ｂには、移送ベルト４３ｃを掛け渡した構成であり、左右両側の該各移送ベルト４３ｃ間には、人参（イ）の葉部を挾持して移送する構成である。各タッピング移送装置３４の各移送ベルト４２ｃと、途中からは該各移送ベルト４３ｃにも引継ぎされ、両者で挾持して移送する構成である。又、後逑する葉切断装置１２の後側部よりは、この葉切断装置１２で切断した切断葉を挾持して移送し、両者の移送終端部より、圃場内へ落下排出する構成である。
【００４１】
前記葉切断装置１２は、図１〜図３で示す如く首揃移送装置３３の後側で、タッピング移送装置３４の下側に設け、上伝動装置３８の上伝動ケース３８ａから下部へ突出させて、回転自在に回転軸４６を設け、この回転軸４６には、廻り止めする四角形状４６ａ部を設けた構成である。
【００４２】
前記回転軸４６の四角形状４６ａ部には、中央部に四角孔を有する支持板４４と支持メタル４４ａとを挿入し、この支持板４４へこの支持メタル４４ａをボルト４６ｂ等で装着した構成である。又、この支持メタル４４ａの下側で、該回転軸４６の下端部には、ナット４６ｃを旋挿入して、これら支持メタル４４ａと支持板４４とを装着した構成である。
【００４３】
前記各支持板４４の下側面には、内径が支持メタル４４ａの外経より、径大であると共に、外周（Ａ）部が所定径の左・右切断刃４５ａ，４５ｂをボルト４５ｃで装着した構成である。これら左・右切断刃４５ａ，４５ｂの外周（Ａ）部は平面視所定量（Ｌ）重合させると共に、側面視は左側の該左切断刃４５ａを下側に位置させ、右側の該右切断刃４５ｂを上側に位置させて設けた構成である。上下に設けたこれら左・右切断刃４５ａ，４５ｂの上下間の隙間は、最小隙間の０に近い状態の構成である。これら左・右切断刃４５ａ，４５ｂを上下に位置させて設けると共に、重合させたことにより、切断性能を向上させると共に、分解、及び組立時の危険を防止した構成である。
【００４４】
前記左切断刃４５ａの下側面位置は、首揃移送装置３３の移送ベルト３９ａの下側端部より、若干上部に位置させた構成である。人参下部切断装置４７は、堀起装置５後方上部に前方下部から上方後部へ傾斜状態に設け、この人参下部切断装置４７は左右に所定間隔で、上下２箇所に山形状を形成した案内杆４８ａを複数個設けると共に、この２箇所の山形状内には、回転外周部に複数個の切断刃４８ｂを装着した各回転具４８ｃを回転自在に上下に所定間隔を設けて軸支した構成である。
【００４５】
前記人参下部切断装置４７は、各移送装置２８の移送ベルト２８ａ，２８ａ間で挾持されて、上部へ移送中に全長の短い人参（イ）の根部の先端部が下側の山形の案内杆４８ａ，４８ａ間に入り、下側の切断刃４８ｂにより、この人参（イ）の根部の先端所定位置が切断される。又、上部へ移送中に全長の長い人参（イ）は、下側の山形の該案内杆４８ａ部を通過し、上側の山形の該案内杆４８ａ，４８ａ間に、この人参（イ）の根部の先端部が入り、この根部の先端所定位置を上側の該切断刃４８ｂにより、切断される。人参（イ）の根部の全長により、この人参の根部先端の所定位置を切断する構成である。
【００４６】
前記根葉類収穫機１の回転支持部は、図１１で示す如く車台７に設ける支持板１６と、第１・第２移送コンベア１３、１４との間の隙間（Ｌ１）は、従来より、所定距離後方に位置させて設けると共に、伝動メタル１７を回動中心２６ｂとして、この伝動メタル１７に設ける連結板２９を上方へ突出させて設け、この連結板２９には、伝動ケース３０を設けると共に、この伝動ケース３０には、支持ケース３１、及び伝動ケース３２等を介して各移送装置２８を設けこの各移送装置２８を上下回動自在な構成である。
【００４７】
前記第１・第２移送コンベア１３、１４と支持板１６との間の隙間（Ｌ１）を広くして、葉切断装置１２で切断された人参（イ）の葉部を各タッピング装置３４の移送ベルト４２ｃ，４２ｃ間と、各葉移送装置３５の移送ベルト４３ｃ，４３ｃ間とにより、挾持されて移送中に落下する切断されて発生する藁屑等は、直接圃場へ落下させる構成である。
【００４８】
これにより、前記各葉切断装置１２で切断された切断済み葉部を各タッピング移送装置３４と各葉移送装置３５とにより、挾持されて移送中に落下する藁屑等は、隙間（Ｌ１）が広くなったことにより、直接圃場へ落下させることができる。
【００４９】
前記根菜類収穫機１の首揃移送装置３３、タッピング移送装置３４、葉移送装置３５、葉切断装置１２の伝動構成は、図１２、及び図１３で示す如くタッピングケース４９に設けた入力軸４９ａは、伝動ケース３０の伝動機構３０ａから入力により、回転駆動される。この入力軸４９ａのギヤー４９ｂから後中間軸５０のギヤー５０ａを介して、後部伝動軸５１のギヤー５１ａが回転駆動される構成である。
【００５０】
前記入力軸４９ａの上端部のスプロケット４９ｄと、葉切断装置１２の回転軸４６に設けたスプロケット４６ｄとには、チエン４９ｃを掛け渡した構成である。この回転軸４６の上端部に設けたギヤー４６ｅと、前中間軸５０ｂに設けたギヤー５０ｃと、首揃移送装置３３の後軸５２に設けたギヤー５２ａとは噛合する構成であり、この首揃移送装置３３のこの後軸５２設けた後プーリ３９ｂと、前軸５２ｂに設けた前プーリ３９ａとに掛け渡した移送ベルト３９ｃが回転駆動する構成である。
【００５１】
前記タッピングケース４９の上端面には、ケースカバー５３を設け、このケースカバー５３の上側面には、複数個の支持杆５３ａを固着して設け、これら各支持杆５３ａの上側には、支持板５４を設け、この支持板５４には、複数個のテンションプーリ５５を複数個のテンション軸５５ａで軸支した構成である。
【００５２】
前記首揃移送装置３３の支持プレート３９の上側面には、支持杆５３ｂを固着して設け、この支持杆５３ｂの上側には、支持枠５６に挿入したタッピング移送装置３４の前プーリ４２ａを前軸５６ａで軸支して設け、この前軸５６ａは該支持杆５３ｂへ前後移動自在に装着した構成である。このプーリ４２ａと、後伝動軸５１に軸支した後プーリ４２ｂと、支持板５４に設けた各テンションプーリ５５とには、移送ベルト４２ｃを掛け渡した構成である。
【００５３】
前記後伝動軸５１には、タッピング移送装置３４の後プーリ４２ｃの上側に遊動状態に支持ボス５７を挿入して設け、この支持ボス５７には、断面形状がコ字状の下支持板５７ａを固着して設け、この下支持板５７ａの上側面には、上支持板５７ｂを固着して設けた構成である。この上支持板５７ｂには、複数個のテンションプーリ５８を複数個のテンション軸５８ａで軸支した構成である。
【００５４】
前記下支持板５７ａの上側面には、支持枠５９に挿入した葉移送装置３５の前プーリ４３ａを前軸５９ａで軸支して設け、この前軸５９ａは該下支持板５７ａへ前後移動自在に装着した構成である。この前プーリ４３ａと、後伝動軸５１に軸支した後プーリ４３ｂと、上支持板５７ｂに設けた各テンションコンプーリ５８とには、移送ベルト４３ｃを掛け渡した構成である。
【００５５】
これにより、前記タッピング移送装置３４の上下方向の前部を薄くして、首揃移送装置３３からこのタッピング移送装置３４への引継ぎを良好にし、移送性能の向上を図ることができた。
【００５６】
前記タッピング移送装置３４の移送始端部側から１番目のテンション軸（第１テンション軸）５５ａと、２番目のテンション軸５５ａ（第２テンション軸５５ａ２）との間（Ｍ）の略中央位置（Ｍ１）に、図１２で示す如く葉移送装置３５の移送始端部の前軸５９ａを位置させた構成である。又、該前軸５９ａと、該葉移送装置３５の移送始端部側から１番目のテンション軸（第４テンション軸）５８ａとの間（Ｎ）の略中央位置（Ｎ１）に、図１２で示す如くタッピング移送装置３４の移送始端部側から２番目のテンション軸５５ａ（第２テンション軸５５ａ２）を位置させた構成である。又、該タッピング移送装置３４の移送始端部側から２番目のテンション軸５５ａ（第２テンション軸５５ａ２）と、３番目のテンション軸５５ａ（第３テンション軸５５ａ３）との間（Ｓ）の略中央位置（Ｓ１）に、図１２で示す如く該葉移送装置３５の移送始端部側から１番目のテンション軸５８ａを位置させた構成である。
【００５７】
これにより、前記各切断装置１２で切断する前段で、人参（イ）の葉部の挾持力をアップすることができ、この人参（イ）の上下のズレをなくすることができて、切断時に人参（イ）の根部を切断することが防止できる。
【００５８】
前記タッピングケース４９と受板１９ａとの間には、図１４、及び図１５で示す如く連接杆６０ａの上下端部に設けた上・下取付板６０ｂ，６０ｃ等よりなる連接装置６０をボルト、及びナット等により、装着した構成であり、タッピング移送装置３４、３４間の拡がりを防止した構成である。
【００５９】
これにより、前記タッピング移送装置３４、３４が強度アップされ、横への広がりが防止され、挾持性能をアップすることができる。前記タッピング移送装置３４の移送始端部の支持構成は、図１６、及び図１７で示す如く支持板５４の上側面と、支持枠５６の上側面とは、接続板５６ｂで接続させた構成である。この支持枠５６は調節具５６ｃにより、前後調節移動する構成である。この支持枠５６に装着した前プーリ４２ａは、この支持枠５６を介して前後調節移動することにより、移送ベルト４２ｃを伸縮調節する構成である。又、葉移送装置３５の支持枠５９は調節具５９ｂにより、前後調節移動する構成である。この支持枠５９に装着した前プーリ４３ａは、この支持枠５９を介して前後移動することにより、移送ベルト４３ｃを伸縮調節する構成である。
【００６０】
これにより、前記各タッピング移送装置３４の前プーリ４２ａ，４２ａ間の挾持力の弛みがなくなり、引継ぎが良好となり、移送性能をアップすることができる。
【００６１】
前記テンションプーリ５５、５８の上外側面には、図１８で示す如く防塵カバー５５ｂ，５８ｂを個別に設けた構成であり、この防塵カバー５５ｂ，５８ｂの中央部には、該各テンションプーリ５５、５８内へ突出する折曲部を設け、この折曲部の内径部は各テンション軸５５ａ，５８ａの外径部と略同じ径に形成した構成である。
【００６２】
これにより、防塵性能の向上を図ることができる。前記テンションプーリ５８、５５は、図１９〜図２１で示す如く上下に２分割し、この分割した小外径部側には、円周の２箇所に凸部６１ａと、凹部６１ｂとよりなる爪部６１ｃを交互に設けた構成である。この上下２分割の該爪部６１ｃを互に噛合させた構成である。
【００６３】
これにより、前記テンションプーリ５８、５５はコスト低減が可能である。
【図面の簡単な説明】
【図１】  葉切断装置部の拡大正面図
【図２】  葉切断装置部の拡大平面図
【図３】  根菜類収穫機の作業状態時の全体側面図
【図４】  根菜類収穫機の非作業状態時の全体側面図
【図５】  根菜類収穫機の全体平面図
【図６】  根菜類収穫機の伝動構成図
【図７】  移送装置部の拡大正面図
【図８】  移送装置部の作用側・非作用側テンションプーリの拡大正断面図
【図９】  首揃移送装置部の拡大平面図
【図１０】  図９のＤーＤ断面図
【図１１】  他の実施例を示す図で、支持板の回動中心部の側面図
【図１２】  他の実施例を示す図で、根菜搬送装置部の一部断面した拡大側面図
【図１３】  他の実施例を示す図で、根菜搬送装置部の拡大平面図
【図１４】  他の実施例を示す図で、連接装置部の一部断面した拡大側面図
【図１５】  他の実施例を示す図で、連接装置部の拡大平面図
【図１６】  他の実施例を示す図で、接続板部の一部断面した拡大側面図
【図１７】  他の実施例を示す図で、接続板部の拡大平面図
【図１８】  他の実施例を示す図で、各テンションプーリ部の拡大側断面図
【図１９】  他の実施例を示す図で、各テンションプーリ部の拡大側断面図
【図２０】  他の実施例を示す図で、各テンションプーリ爪部の拡大側面図
【図２１】  他の実施例を示す図で、各テンションプーリ爪部の拡大平面図
【符号の説明】
２        走行車両
４        引起装置
５        掘起装置
１２      葉切断装置
２８      移送装置
３３      首揃移送装置
３４      タッピング移送装置
３５      葉移送装置
４２ａ    前プーリ
４５ａ    左切断刃
４５ｂ    右切断刃
５５ａ    第１テンション軸
５５ａ２  第２テンション軸
５５ａ３  第３テンション軸
５８ａ    第４テンション軸
５９ａ    前軸
Ａ        外周
イ        根菜類（人参）
【図１】
0004461531.tif 000002
【図２】
0004461531.tif 000003
【図３】
0004461531.tif 000004
【図４】
0004461531.tif 000005
【図５】
0004461531.tif 000006
【図６】
0004461531.tif 000007
【図７】
0004461531.tif 000008
【図８】
0004461531.tif 000009
【図９】
0004461531.tif 000010
【図１０】
0004461531.tif 000011
【図１１】
0004461531.tif 000012
【図１２】
0004461531.tif 000013
【図１３】
0004461531.tif 000014
【図１４】
0004461531.tif 000015
【図１５】
0004461531.tif 000016
【図１６】
0004461531.tif 000017
【図１７】
0004461531.tif 000018
【図１８】
0004461531.tif 000019
【図１９】
0004461531.tif 000020
【図２０】
0004461531.tif 000021
【図２１】
0004461531.tif 000022